(57)【要約】【課題】被締結体から取り外した雄螺子の管理を簡単な作業で行うことができるコンパクトな雄螺子管理具を提供する。【解決手段】雄螺子管理具１は、被締結体１０から取り外した雄螺子８を管理する。雄螺子管理具１は、雄螺子を着脱可能な螺子着脱部２と、螺子着脱部２と一体に設けられ、粘着テープ７を用いて被締結体１０に取付取外可能な板状部３とを備える。螺子着脱部２は、中心軸Ｃ１に沿って延び、且つ、一端が板状部３側に位置する複数の可撓性アーム部４を有し、各アーム部４は、中心軸Ｃ１周りに所定の間隔をあけて環状に配設されている。アーム部４の他端側は、雄螺子８をその中心線Ｃ２が中心軸Ｃ１に一致する状態で接近させると、雄螺子８の軸部８ａの外周面に摺接しながら中心軸Ｃ１から離れるように撓んだ状態で中心軸Ｃ１に向かう復元力によって他のアーム部４の他端側と共に雄螺子８を挟んで保持する。【選択図】図３
2019132335.tif 000002
【特許請求の範囲】
【請求項１】
被締結体から取り外した雄螺子を管理する雄螺子管理具であって、
上記雄螺子を着脱可能な螺子着脱部と、
該螺子着脱部と一体に設けられ、且つ、上記被締結体の所定の位置に板面を添え当てた状態で粘着手段又は吸着手段を用いることによって上記被締結体に取付取外可能な板状部とを備え、
上記螺子着脱部は、当該螺子着脱部の中心軸に沿って延び、且つ、当該中心軸周りに所定の間隔をあけて環状に配設され、一端側が上記板状部側に位置する複数の可撓性アーム部を有し、
該アーム部の他端側は、上記雄螺子をその中心線が上記中心軸に一致する状態で接近させると、上記雄螺子の外周面に摺接しながら上記中心軸から離れるように撓んだ状態で上記中心軸に向かう復元力によって他のアーム部の他端側と共に上記雄螺子を挟んで保持するよう構成されていることを特徴とする雄螺子管理具。
【請求項２】
請求項１に記載の雄螺子管理具において、
上記板状部は、樹脂材又はゴム材で形成されていることを特徴とする雄螺子管理具。
【請求項３】
請求項１又は２に記載の雄螺子管理具において、
上記アーム部の他端には、上記中心軸側に突出する爪部が設けられ、
該爪部には、上記中心軸側に行くにつれて当該中心軸に沿う方向に次第に接近するように傾斜する一対の傾斜面が形成されていることを特徴とする雄螺子管理具。
【請求項４】
請求項１から３のいずれか１つに記載の雄螺子管理具において、
上記アーム部は、上記板状部の板厚方向に延びていることを特徴とする雄螺子管理具。
【請求項５】
請求項１から４のいずれか１つに記載の雄螺子管理具において、
上記粘着手段は、粘着テープであり、
上記板状部は、長手方向の寸法が上記粘着テープの幅寸法よりも長い長方形状をなしており、その長手方向一端には、上記螺子着脱部が一体に設けられていることを特徴とする雄螺子管理具。
【請求項６】
請求項１から４のいずれか１つに記載の雄螺子管理具において、
上記吸着手段は、磁石であり、
該磁石は、上記板状部に取り付けられていることを特徴とする雄螺子管理具。
【請求項７】
請求項１から６のいずれか１つに記載の雄螺子管理具において、
上記板状部には、貫通孔が形成されていることを特徴とする雄螺子管理具。
【発明の詳細な説明】
【技術分野】
【０００１】
本発明は、例えば、修理やメンテナンスの際に自動車等から取り外した多数の雄螺子をそれぞれ対応する締結孔が分かるように管理する雄螺子管理具に関する。
【背景技術】
【０００２】
従来より、例えば、特許文献１に開示されている雄螺子管理具は、厚紙や合成樹脂等で形成された板状体を備え、該板状体には、雄螺子を着脱可能な多数の螺子着脱部が板状体の全域に亘って設けられている。螺子着脱部は、放射状に延びる複数のスリットの間にそれぞれ形成された複数の三角可撓部からなり、雄螺子を押し込むと、各三角可撓部が互いに離れるように撓むとともに元位置に戻ろうとする復元力によって雄螺子を挟んで保持するようになっている。そして、板状体の表面には、自動車を概略的に示す自動車図形が描かれていて、自動車から取り外した各雄螺子をそれぞれ取り外した締結孔の位置に対応する自動車図形の位置の螺子着脱部に取り付けておくことによって、各雄螺子をそれぞれ対応する締結孔が分かるように管理している。
【先行技術文献】
【特許文献】
【０００３】
【特許文献１】特開２００５−２０７４４８号公報
【発明の概要】
【発明が解決しようとする課題】
【０００４】
しかし、特許文献１の雄螺子管理具は、自動車の近くに置いて使用するものであるので、作業者は、自動車から雄螺子を取り外すと、取り外した雄螺子を雄螺子管理具まで１つずつ運んで螺子着脱部に取り付ける必要があり、作業が煩雑であるという問題がある。
【０００５】
また、板状体に多数の螺子着脱部が設けられているので、雄螺子管理具の全体が大型化してしまうという問題もあった。
【０００６】
本発明は、斯かる点に鑑みてなされたものであり、その目的とするところは、被締結体から取り外した雄螺子の管理を簡単な作業で行うことができるコンパクトな雄螺子管理具を提供することにある。
【課題を解決するための手段】
【０００７】
上記の目的を達成するために、本発明は、被締結体における雄螺子を取り外した締結孔の近くに取り外した雄螺子を置いておけるように工夫を凝らしたことを特徴とする。
【０００８】
具体的には、被締結体から取り外した雄螺子を管理する雄螺子管理具において、次のような解決手段を講じた。
【０００９】
すなわち、第１の発明では、上記雄螺子を着脱可能な螺子着脱部と、該螺子着脱部と一体に設けられ、且つ、上記被締結体の所定の位置に板面を添え当てた状態で粘着手段又は吸着手段を用いることによって上記被締結体に取付取外可能な板状部とを備え、上記螺子着脱部は、当該螺子着脱部の中心軸に沿って延び、且つ、当該中心軸周りに所定の間隔をあけて環状に配設され、一端側が上記板状部側に位置する複数の可撓性アーム部を有し、該アーム部の他端側は、上記雄螺子をその中心線が上記中心軸に一致する状態で接近させると、上記雄螺子の外周面に摺接しながら上記中心軸から離れるように撓んだ状態で上記中心軸に向かう復元力によって他のアーム部の他端側と共に上記雄螺子を挟んで保持するよう構成されていることを特徴とする。
【００１０】
第２の発明では、第１の発明において、上記板状部は、樹脂材又はゴム材で形成されていることを特徴とする。
【００１１】
第３の発明では、第１又は第２の発明において、上記アーム部の他端には、上記中心軸側に突出する爪部が設けられ、該爪部には、上記中心軸側に行くにつれて当該中心軸に沿う方向に次第に接近するように傾斜する一対の傾斜面が形成されていることを特徴とする。
【００１２】
第４の発明では、第１から第３のいずれか１つの発明において、上記アーム部は、上記板状部の板厚方向に延びていることを特徴とする。
【００１３】
第５の発明では、第１から第４のいずれか１つの発明において、上記粘着手段は、粘着テープであり、上記板状部は、長手方向の寸法が上記粘着テープの幅寸法よりも長い長方形状をなしており、その長手方向一端には、上記螺子着脱部が一体に設けられていることを特徴とする。
【００１４】
第６の発明では、第１から第４のいずれか１つの発明において、上記吸着手段は、磁石であり、該磁石は、上記板状部に取り付けられていることを特徴とする。
【００１５】
第７の発明では、第１から第６のいずれか１つの発明において、上記板状部には、貫通孔が形成されていることを特徴とする。
【発明の効果】
【００１６】
第１の発明では、螺子着脱部に雄螺子を取り付けた状態で被締結体における雄螺子を取り外した締結孔の近傍に粘着手段及び吸着手段を用いて板状部を取り付けることができるので、作業者は雄螺子を取り外した作業位置から大きく移動する必要が無い。したがって、取り外した雄螺子に対応する締結孔を簡単な作業で明確にしておくことができる。また、雄螺子管理具に１つの螺子着脱部しか設けておらず、しかも、雄螺子を保持する各アーム部の形状が保持した状態の雄螺子に沿って延びているので、特許文献１の如き雄螺子管理具に比べてコンパクトである。
【００１７】
第２の発明では、板状部を金属材で形成した場合に比べて板状部の硬度が低くなるので、粘着手段及び吸着手段を用いて板状部を被締結体に取り付けた際、被締結体に傷を付けないようにすることができる。
【００１８】
第３の発明では、螺子着脱部に雄螺子を接近させると、爪部におけるアーム部他端側の傾斜面に雄螺子が摺接しながらアーム部他端側が撓むようになるので、爪部がアーム部に設けられていても作業者による雄螺子の螺子着脱部への取付作業をスムーズに行うことができる。その後、雄螺子の外周面に乗り上げた爪部は螺子山に引っ掛かるので、各アーム部の他端側が下方を向くような姿勢に雄螺子管理具がなっても、螺子着脱部に取り付けられた雄螺子が雄螺子管理具から不意に外れることがない。また、螺子着脱部に取り付けられた雄螺子を作業者が螺子着脱部から離れるように引っ張ると、爪部におけるアーム部一端側の傾斜面に雄螺子が摺接しながら移動するので、爪部がアーム部に設けられていても雄螺子を螺子着脱部から簡単に取り外すことができる。
【００１９】
第４の発明では、板状部を被締結体に取り付けた際、各アーム部が被締結体の表面から垂直に立ち上がる姿勢になる。したがって、被締結体に取り付けた雄螺子管理具における螺子着脱部に取り付けられた雄螺子が目立って見えるようになり、作業者が作業時において雄螺子の位置を見落とすことが無いようにすることができる。
【００２０】
第５の発明では、被締結体に添え当てた板状部を跨ぐようにして所定の長さの粘着テープを被締結体の表面に貼り付けると、雄螺子管理具が被締結体に取り付くようになる。このように、被締結体への取付作業が簡単な雄螺子管理具にすることができる。
【００２１】
第６の発明では、被締結体が磁性体の場合、板状部を被締結体に接近させるだけで磁石の吸着力により雄螺子管理具が被締結体に取り付くようになる。したがって、第５の発明よりも被締結体への取付作業がさらに簡単な雄螺子管理具にすることができる。
【００２２】
第７の発明では、例えば、締結体の表面に板状部を添え当てる領域がほとんど無い場合であっても、雄螺子を取り外した締結体の締結孔と板状部の貫通孔とを紐部材等を用いて繋ぐことで雄螺子を管理することができる。
【図面の簡単な説明】
【００２３】
【図１】本発明の実施形態１に係る雄螺子管理具の斜視図である。
【図２】本発明の実施形態１に係る雄螺子管理具を使用している状態を示す斜視図である。
【図３】図２のIII−III線における断面図である。
【図４】図３のIV−IV線における断面図である。
【図５】雄螺子管理具に雄螺子を取り付ける直前の状態を示す図３相当図である。
【図６】図５の後、雄螺子管理具に雄螺子を取り付けている途中の状態を示す図である。
【図７】図６の後、雄螺子管理具に雄螺子を取り付けた直後の状態を示す図である。
【図８】大きさの異なる雄螺子を雄螺子管理具に取り付けた状態を示す図３相当図である。
【図９】被締結体から取り外した雄螺子を対応する締結孔に吊り下げて管理している状態を示す図である。
【図１０】本発明の実施形態２に係る図３相当図である。
【発明を実施するための形態】
【００２４】
以下、本発明の実施形態を図面に基づいて詳細に説明する。尚、以下の好ましい実施形態の説明は、本質的に例示に過ぎない。
【００２５】
《発明の実施形態１》
図１は、本発明の実施形態１に係る雄螺子管理具１を示す。該雄螺子管理具１は、例えば、図２に示すように、修理やメンテナンスのために多数の雄螺子８を被締結体１０（図２の場合は自動二輪車のシートカウル周り）から取り外す際、取り外した雄螺子８を取り付けるとともに、当該雄螺子８に対応する締結孔１０ａの近傍に粘着テープ７（粘着手段）を用いて貼り付けることによって雄螺子８を管理することができるようになっている。尚、雄螺子８は、ボルトやビス等を総称したものとする。
【００２６】
雄螺子管理具１は、樹脂材で形成され、且つ、側面視で略Ｌ字状をなしており、雄螺子８を着脱可能な略円筒状をなす螺子着脱部２と、平面視で略長方形状をなす板状部３とを備え、螺子着脱部２の一端が板状部３の長手方向一端側に接着剤を用いて取り付けられている。
【００２７】
螺子着脱部２は、当該螺子着脱部２の中心軸Ｃ１に沿って延び、且つ、他端側に開放するスリット２ａが中心軸Ｃ１周りに等間隔に５つ形成された形状になっており、各スリット２ａの間には、細棒状の可撓性アーム部４がそれぞれ設けられている。
【００２８】
すなわち、各アーム部４は、中心軸Ｃ１周りに所定の間隔をあけて等間隔に環状に５つ配設され、板状部３の板厚方向に延びる姿勢になっている。
【００２９】
各アーム部４の一端側は、板状部３側に位置する一方、各アーム部４の他端には、図３に示すように、中心軸Ｃ１側に突出する爪部５が設けられ、該爪部５には、中心軸Ｃ１側に行くにつれて当該中心軸Ｃ１に沿う方向に次第に接近するように傾斜する一対の傾斜面５ａが形成されている。尚、以下では、便宜上、アーム部４の他端側に位置する傾斜面５ａを傾斜面５Ｂと呼ぶ一方、アーム部４の一端側に位置する傾斜面５ａを傾斜面５Ｃと呼ぶことにする。
【００３０】
そして、アーム部４の他端側は、図５乃至図６に示すように、雄螺子８をその中心線Ｃ２が中心軸Ｃ１に一致する状態で軸部８ａ側から接近させると、雄螺子８の軸部８ａ外周面に摺接しながら中心軸Ｃ１から離れるように撓んだ状態で中心軸Ｃ１に向かう復元力によって他のアーム部４の他端側と共に雄螺子８の軸部８ａを挟んで保持するようになっている。
【００３１】
板状部３は、図３に示すように、長手方向の寸法Ｈが、粘着テープ７の幅寸法ｈよりも長い長方形状をなしており、その長手方向他端側には、貫通孔３ａが形成されている。
【００３２】
そして、板状部３は、被締結体１０の所定の位置に板面を添え当てた状態で粘着テープ７を板状部３における長手方向他端側を跨ぐように被締結体１０の表面に貼り付けることにより、被締結体１０に取り付けることができるようになっている。
【００３３】
一方、板状部３は、粘着テープ７を被締結体１０の表面から剥がすことによって被締結体１０から取り外すことができるようになっている。
【００３４】
つまり、板状部３は、粘着テープ７を用いることによって被締結体１０に取付取外可能になっている。
【００３５】
次に、本発明の実施形態１に係る雄螺子管理具１の使用方法について詳述する。
【００３６】
まず、作業者は、被締結体１０におけるメンテナンスや修理を行う際、雄螺子管理具１を用意するとともに被締結体１０に締結された状態の雄螺子８を１つ取り外す。
【００３７】
次いで、作業者は、図５に示すように、取り外した雄螺子８をその軸部８ａが螺子着脱部２側となるように中心線Ｃ２を雄螺子管理具１における螺子着脱部２の中心軸Ｃ１に一致させるとともに、矢印Ｘ１の方向に雄螺子８を移動させる。すると、雄螺子８の軸部８ａが各アーム部４の他端に接触する。
【００３８】
雄螺子８の軸部８ａが各アーム部４の他端に接触すると、アーム部４の他端側は、爪部５の傾斜面５Ｂが雄螺子８における軸部８ａの外周面に摺接しながら中心軸Ｃ１から離れるように撓んでいく。このように、爪部５がアーム部４に設けられていても、傾斜面５Ｂによって作業者による雄螺子８の螺子着脱部２への取付作業をスムーズに行うことができる。
【００３９】
その後、作業者がさらに矢印Ｘ１の方向に雄螺子８を移動させると、図６及び図７に示すように、爪部５が雄螺子８における軸部８ａの外周面に乗り上げて螺子山に引っ掛かる。そして、アーム部４は、中心軸Ｃ１に向かう復元力によって他のアーム部４の他端側と共に雄螺子８を挟んで保持する。したがって、雄螺子８は、各アーム部４の他端側が下方を向くような姿勢に雄螺子管理具１がなっても当該雄螺子管理具１から不意に外れることがない程度にしっかりと螺子着脱部２に取り付けられる。
【００４０】
しかる後、作業者は、図２乃至図４に示すように、粘着テープ７を取り出すとともに、雄螺子８を取り外した被締結体１０における締結孔１０ａの近傍に板状部３の板面を添え当てる。そして、板状部３を跨ぐように被締結体１０の表面に粘着テープ７を貼り付けて板状部３を被締結体１０に取り付けることにより、締結孔１０ａの近傍にて雄螺子８を雄螺子管理具１によって管理する。
【００４１】
一方、作業者は、雄螺子管理具１から雄螺子８を取り外す際、まず、粘着テープ７を被締結体１０の表面から剥がして雄螺子管理具１を被締結体１０から取り外す。
【００４２】
しかる後、作業者は、雄螺子８を中心軸Ｃ１に沿って螺子着脱部２から離れるように引っ張る。このとき、雄螺子８は、爪部５の傾斜面５Ｃに雄螺子８の軸部８ａ外周面が摺接しながら移動するので、爪部５がアーム部４に設けられていても雄螺子８を螺子着脱部２から簡単に取り外すことができる。
【００４３】
このように、本発明の実施形態１によると、螺子着脱部２に雄螺子８を取り付けた状態で被締結体１０における雄螺子８を取り外した締結孔１０ａの近傍に粘着テープ７を用いて板状部３を取り付けることができるので、作業者は雄螺子８を取り外した作業位置から大きく移動する必要が無い。したがって、雄螺子８を取り外した締結孔１０ａを簡単な作業で明確にしておくことができる。
【００４４】
また、雄螺子管理具１に１つの螺子着脱部２しか設けておらず、しかも、雄螺子８を保持する各アーム部４の形状が保持した状態の雄螺子８に沿って延びているので、特許文献１の如き雄螺子管理具１に比べてコンパクトである。
【００４５】
また、板状部３は樹脂材で形成されており、金属材で形成するよりも硬度が低い（柔らかい）ので、粘着テープ７を用いて板状部３を被締結体１０に取り付けた際、被締結体１０に傷を付けないようにすることができる。
【００４６】
また、各アーム部４は、板状部３の板厚方向に沿って延びているので、板状部３を被締結体１０に取り付けた際、各アーム部４が被締結体１０の表面から垂直に立ち上がる姿勢になる。したがって、被締結体１０に取り付けた雄螺子管理具１の雄螺子８が目立って見えるようになり、作業者が作業時において雄螺子８の位置を見落とすことが無いようにすることができる。
【００４７】
また、板状部３は、長手方向の寸法Ｈが粘着テープ７の幅寸法ｈよりも長い長方形状をなしており、さらには、各アーム部４が板状部３の長手方向一端に固定されているので、被締結体１０に添え当てた板状部３を跨ぐようにして所定の長さの粘着テープ７を被締結体１０の表面に貼り付けると、雄螺子管理具１が被締結体１０に取り付くようになる。このように、被締結体１０への取付作業が簡単な雄螺子管理具１にすることができる。
【００４８】
尚、本発明の実施形態１の雄螺子管理具１は、通常は粘着テープ７を用いて被締結体１０に取り付けることにより雄螺子８を管理するが、図８に示すように、雄螺子８を取り外した被締結体１０の締結孔１０ａと板状部３の貫通孔３ａとを紐部材１１を用いて繋いで雄螺子管理具１を被締結体１０に吊り下げるようにしてもよい。そうすると、被締結体１０の表面に板状部３を添え当てる領域がほとんど無い場合であっても、雄螺子８を管理することができる。
【００４９】
また、本発明の実施形態１の雄螺子管理具１は、雄螺子の種類を変更しても管理をすることができる。例えば、図９に示すように、軸部９ａの径がＤ２（Ｄ２＞Ｄ１）である雄螺子９であっても各アーム部４の他端側を雄螺子８のときよりも撓ませることによって螺子着脱部２に取り付けて管理することができる。
【００５０】
《発明の実施形態２》
図１０は、本発明の実施形態２に係る雄螺子管理具１を示す。この実施形態２では、螺子着脱部２と板状部３とが射出成形により一体成形されている点と、板状部３の一部構造とが実施形態１と異なっているだけで、その他は実施形態１と同じであるため、以下、実施形態１と異なる部分のみを詳細に説明する。
【００５１】
実施形態２における板状部３の一端側には、螺子着脱部２の一端開口部分に対応する取付孔３ｂが貫通形成され、該取付孔３ｂには、当該取付孔３ｂの空間に対応する円盤状の磁石６（吸着手段）が取り付けられている。そして、被締結体１０が磁性体の場合、磁石６の吸着力によって板状部３を被締結体１０の所定の位置に取り付けるようになっている。
【００５２】
以上より、本発明の実施形態２によると、被締結体１０が磁性体の場合、板状部３を被締結体１０に接近させるだけで磁石６の吸着力により雄螺子管理具１が被締結体１０に取り付くようになる。したがって、粘着テープ７を用いて被締結体１０に取り付ける実施形態１の如き雄螺子管理具１よりも被締結体１０への取付作業がさらに簡単な雄螺子管理具１にすることができる。
【００５３】
また、螺子着脱部２と板状部３とを射出成形により一体成形するとともに、板状部３における磁石６を取り付ける取付孔３ｂが螺子着脱部２の一端開口部分に対応しているので、螺子着脱部２の内側領域と取付孔３ｂとを成形するための成形型を１つだけ用意すればよくなり、螺子着脱部２の内側領域と取付孔３ｂとを成形するための成形型をそれぞれ用意する必要が無いので、製造コストを低く抑えることができる。
【００５４】
尚、本発明の実施形態１，２では、雄螺子管理具１を樹脂材で形成しているが、その他の材質で形成してもよく、例えば、ゴム材で形成してもよい。
【００５５】
また、本発明の実施形態１，２では、板状部３が平面視で長方形状をなしているが、その他の形状であってもよく、例えば、螺子着脱部２の中心軸Ｃ１周りに延びるフランジ形状であってもよい。
【００５６】
また、本発明の実施形態１，２では、各アーム部４に爪部５を設けているが、爪部５をアーム部４に設けることは必須ではない。
【００５７】
また、本発明の実施形態１，２では、各アーム部４が板状部３の板厚方向に延びているが、各アーム部４が板状部３の板厚方向に延びていることは必須ではない。
【００５８】
また、本発明の実施形態１，２では、板状部３に貫通孔３ａを設けているが、板状部３に貫通孔３ａを設けることは必須ではない。
【００５９】
また、本発明の実施形態２では、吸着手段として磁石６を用いているが、例えば、吸着手段として吸着パッドを用いてもよい。
【００６０】
また、本発明の実施形態１，２では、螺子着脱部２のアーム部４は５つであるが、その他の数であってもよく、アーム部４は２〜４つであってもよいし、６つ以上であってもよい。
【００６１】
また、本発明の実施形態１，２では、各アーム部４が螺子着脱部２の中途部から他端に亘って延びる形状をなしているが、これに限らず、各アーム部４が螺子着脱部２の一端から他端の全ての領域に亘って延びる形状をなしていてもよい。
【産業上の利用可能性】
【００６２】
本発明は、例えば、修理やメンテナンスの際に自動車等から取り外した多数の雄螺子をそれぞれ対応する締結孔が分かるように管理する雄螺子管理具に適している。
【符号の説明】
【００６３】
１        雄螺子管理具
２        螺子着脱部
３        板状部
３ａ        貫通孔
４        アーム部
５        爪部
５ａ        傾斜面
６        磁石（吸着手段）
７        粘着テープ（粘着手段）
８，９        雄螺子
１０        被締結体
Ｃ１        螺子着脱部の中心軸
Ｃ２        雄螺子の中心線
Ｈ        板状部の長手方向の寸法
ｈ        粘着テープの幅寸法
【図１】
2019132335.tif 000003
【図２】
2019132335.tif 000004
【図３】
2019132335.tif 000005
【図４】
2019132335.tif 000006
【図５】
2019132335.tif 000007
【図６】
2019132335.tif 000008
【図７】
2019132335.tif 000009
【図８】
2019132335.tif 000010
【図９】
2019132335.tif 000011
【図１０】
2019132335.tif 000012